(57)【要約】【課題】効率的な配線が成されたプリント配線板等を実現することにある。【解決手段】基板と、該基板上に設けられた配線であって、文字を表す部分が該配線の一部となっている配線と、を有することを特徴とする。【選択図】図８
2007266215.tif 000002
【特許請求の範囲】
【請求項１】
基板と、
該基板上に設けられた配線であって、文字を表す部分が該配線の一部となっている配線と、
を有することを特徴とするプリント配線板。
【請求項２】
請求項１に記載のプリント配線板において、
前記文字は、前記プリント配線板の供給者、を示していることを特徴とするプリント配線板。
【請求項３】
請求項１又は請求項２に記載のプリント配線板において、
前記配線の、前記文字を表す部分以外の部分、であって、該文字を表す部分と隣接する部分、
の線幅は、
前記文字を表す部分、
の線幅、よりも狭いことを特徴とするプリント配線板。
【請求項４】
請求項１乃至請求項３のいずれかに記載のプリント配線板において、
前記配線の、前記文字を表す部分以外の部分、であって、該文字を表す部分と隣接する部分、
の線幅は、
前記配線の、前記文字を表す部分以外の部分、であって、該文字を表す部分と隣接しない部分、
の線幅、よりも狭いことを特徴とするプリント配線板。
【請求項５】
基板と、
該基板上に設けられた配線であって、文字を表す部分が該配線の一部となっている配線と、
を有し、
前記文字は、前記プリント配線板の供給者、を示しており、
前記配線の、前記文字を表す部分以外の部分、であって、該文字を表す部分と隣接する部分、
の線幅は、
前記文字を表す部分、
の線幅、よりも狭く、
前記配線の、前記文字を表す部分以外の部分、であって、該文字を表す部分と隣接する部分、
の線幅は、
前記配線の、前記文字を表す部分以外の部分、であって、該文字を表す部分と隣接しない部分、
の線幅、よりも狭いことを特徴とするプリント配線板。
【請求項６】
装置本体に対し着脱可能なユニットであって、
基板と、
該基板上に設けられた配線であって、文字を表す部分が該配線の一部となっている配線と、
を有するプリント配線板、
を備えることを特徴とするユニット。
【請求項７】
請求項６に記載のユニットにおいて、
前記装置本体は、印刷装置本体であり、
前記ユニットは、インクを収容するためのインクカートリッジであることを特徴とするユニット。
【請求項８】
請求項６又は請求項７に記載のユニットにおいて、
前記文字は、前記ユニットの供給者、を示していることを特徴とするユニット。
【請求項９】
印刷装置本体と、
該印刷装置本体に対し着脱可能なインクカートリッジであって、
基板と、該基板上に設けられた配線であって、文字を表す部分が該配線の一部となっている配線と、を有するプリント配線板、を備えるインクカートリッジ、
を有することを特徴とする印刷装置。
【請求項１０】
請求項９に記載の印刷装置において、
前記文字は、前記印刷装置の供給者、を示していることを特徴とする印刷装置。
【請求項１１】
コンピュータ、及び、
このコンピュータに接続可能な印刷装置であって、印刷装置本体と、該印刷装置本体に対し着脱可能なインクカートリッジであって、基板と、該基板上に設けられた配線であって、文字を表す部分が該配線の一部となっている配線と、を有するプリント配線板、を備えるインクカートリッジ、を有する印刷装置、
を具備することを特徴とする印刷システム。
【発明の詳細な説明】
【技術分野】
【０００１】
本発明は、プリント配線板、ユニット、印刷装置、及び、印刷システムに関する。
【背景技術】
【０００２】
印刷装置等様々な装置に備えられているプリント配線板は、非常によく知られている。このプリント配線板は、基板、及び、基板上に設けられた配線を有している。
【特許文献１】特開２００３−６３０３７号公報
【発明の開示】
【発明が解決しようとする課題】
【０００３】
ところで、上記プリント配線板の基板上に、文字が書かれる場合がある。当該文字としては、例えば、プリント配線板やプリント配線板が備えられた機器の供給者を示した文字等を挙げることができる。
【０００４】
しかしながら、基板上に文字が書かれる場合には、以下の問題が生じる。すなわち、文字を書くためのスペースを基板上に取る必要があるため、基板が大型化してしまう問題が発生する。また、基板を小型化しようとすると、文字を避けるように配線を迂回させなければならないため、効率的な配線が実現不可能となる。
【０００５】
本発明は、かかる課題に鑑みてなされたものであり、その目的とするところは、効率的な配線が成されたプリント配線板、当該プリント配線板を備えるユニット、当該プリント配線板を備える印刷装置、及び、当該プリント配線板を備える印刷システムを実現することにある。
【課題を解決するための手段】
【０００６】
主たる本発明は、基板と、該基板上に設けられた配線であって、文字を表す部分が該配線の一部となっている配線と、を有することを特徴とするプリント配線板である。
【０００７】
本発明の他の特徴については、本明細書及び添付図面の記載により明らかにする。
【発明を実施するための最良の形態】
【０００８】
本明細書及び添付図面の記載により、少なくとも次のことが明らかにされる。
【０００９】
基板と、該基板上に設けられた配線であって、文字を表す部分が該配線の一部となっている配線と、を有することを特徴とするプリント配線板。  
このようにすれは、効率的な配線が成されたプリント配線板を実現できる。
【００１０】
また、前記文字は、前記プリント配線板の供給者、を示していることとしてもよい。
【００１１】
また、前記配線の、前記文字を表す部分以外の部分、であって、該文字を表す部分と隣接する部分、の線幅は、前記文字を表す部分、の線幅、よりも狭いこととしてもよい。  
かかる場合には、文字を見る人が文字を認識しやすくなる。
【００１２】
また、前記配線の、前記文字を表す部分以外の部分、であって、該文字を表す部分と隣接する部分、の線幅は、前記配線の、前記文字を表す部分以外の部分、であって、該文字を表す部分と隣接しない部分、の線幅、よりも狭いこととしてもよい。  
かかる場合には、文字を見る人が文字を認識しやすくなる。
【００１３】
また、基板と、該基板上に設けられた配線であって、文字を表す部分が該配線の一部となっている配線と、を有し、前記文字は、前記プリント配線板の供給者、を示しており、前記配線の、前記文字を表す部分以外の部分、であって、該文字を表す部分と隣接する部分、の線幅は、前記文字を表す部分、の線幅、よりも狭く、前記配線の、前記文字を表す部分以外の部分、であって、該文字を表す部分と隣接する部分、の線幅は、前記配線の、前記文字を表す部分以外の部分、であって、該文字を表す部分と隣接しない部分、の線幅、よりも狭いことを特徴とするプリント配線板も実現可能である。  
このようにすれば、既述の総ての効果を奏するため、本発明の目的がより有効に達成される。
【００１４】
また、装置本体に対し着脱可能なユニットであって、基板と、該基板上に設けられた配線であって、文字を表す部分が該配線の一部となっている配線と、を有するプリント配線板、を備えることを特徴とするユニットも実現可能である。
【００１５】
また、前記装置本体は、印刷装置本体であり、前記ユニットは、インクを収容するためのインクカートリッジであることとしてもよい。
【００１６】
また、前記文字は、前記ユニットの供給者、を示していることとしてもよい。
【００１７】
また、印刷装置本体と、該印刷装置本体に対し着脱可能なインクカートリッジであって、基板と、該基板上に設けられた配線であって、文字を表す部分が該配線の一部となっている配線と、を有するプリント配線板、を備えるインクカートリッジ、を有することを特徴とする印刷装置も実現可能である。  
このようにすれは、効率的な配線が成された印刷装置を実現できる。
【００１８】
また、前記文字は、前記印刷装置の供給者、を示していることとしてもよい。
【００１９】
また、コンピュータ、及び、このコンピュータに接続可能な印刷装置であって、印刷装置本体と、該印刷装置本体に対し着脱可能なインクカートリッジであって、基板と、該基板上に設けられた配線であって、文字を表す部分が該配線の一部となっている配線と、を有するプリント配線板、を備えるインクカートリッジ、を有する印刷装置、を具備することを特徴とする印刷システムも実現可能である。  
このようにすれは、効率的な配線が成された印刷システムを実現できる。
【００２０】
＝＝＝印刷システムの構成＝＝＝
図１を参照して、本実施の形態にかかる印刷装置としてのインクジェットプリンタ（以下、単に、プリンタ１とも呼ぶ）を有する印刷システム（コンピュータシステム）の実施形態について、図面を参照しながら説明する。
【００２１】
図１は、印刷システムの外観構成を示した説明図である。この印刷システム１００は、プリンタ１と、コンピュータ１１０と、表示装置１２０と、入力装置１３０と、記録再生装置１４０とを備えている。プリンタ１は、紙、布、フィルム等の媒体に画像を印刷する装置である。コンピュータ１１０は、プリンタ１と電気的に接続されており、プリンタ１に画像を印刷させるため、印刷させる画像に応じた印刷データをプリンタ１に出力する。表示装置１２０は、ディスプレイを有し、アプリケーションプログラムやプリンタドライバ等のユーザインタフェースを表示する。入力装置１３０は、例えばキーボード１３０Ａやマウス１３０Ｂであり、表示装置１２０に表示されたユーザインタフェースに沿って、アプリケーションプログラムの操作やプリンタドライバの設定等に用いられる。記録再生装置１４０としては、例えばフレキシブルディスクドライブ装置１４０ＡやＣＤ−ＲＯＭドライブ装置１４０Ｂが用いられる。
【００２２】
コンピュータ１１０にはプリンタドライバがインストールされている。プリンタドライバは、表示装置１２０にユーザインタフェースを表示させる機能を実現させるほか、アプリケーションプログラムから出力された画像データを印刷データに変換する機能を実現させるためのプログラムである。このプリンタドライバは、フレキシブルディスクＦＤやＣＤ−ＲＯＭなどの記録媒体（コンピュータ読み取り可能な記録媒体）に記録されている。または、このプリンタドライバは、インターネットを介してコンピュータ１１０にダウンロードすることも可能である。なお、このプログラムは、各種の機能を実現するためのコードから構成されている。
【００２３】
＝＝＝プリンタの構成＝＝＝
＜＜＜インクジェットプリンタの構成について＞＞＞
図２は、本実施形態のプリンタの全体構成のブロック図である。また、図３は、本実施形態のプリンタの全体構成の概略図である。また、図４は、本実施形態のプリンタの全体構成の縦断面図である。以下、本実施形態のプリンタの基本的な構成について説明する。
【００２４】
本実施形態のプリンタ１は、装置本体（印刷装置本体）の一例としてのプリンタ本体１０と、このプリンタ本体１０に対し着脱可能なユニットの一例としてのインクカートリッジ７１，７２とを有している。
【００２５】
プリンタ本体１０は、搬送ユニット２０、キャリッジユニット３０、ヘッドユニット４０、検出器群５０、およびコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、紙に画像を形成する。プリンタ１内の状況は検出器群５０によって監視されており、検出器群５０は、検出結果をコントローラ６０に出力する。検出器群５０から検出結果を受けたコントローラ６０は、その検出結果に基づいて、各ユニットを制御する。
【００２６】
搬送ユニット２０は、媒体（例えば、用紙Ｓなど）を印刷可能な位置に送り込み、印刷時に所定の方向（以下、搬送方向という）に所定の搬送量で紙を搬送させるためのものである。すなわち、搬送ユニット２０は、紙を搬送する搬送機構として機能する。搬送ユニット２０は、給紙ローラ２１と、搬送モータ２２（ＰＦモータともいう）と、搬送ローラ２３と、プラテン２４と、排紙ローラ２５とを有する。ただし、搬送ユニット２０が搬送機構として機能するためには、必ずしもこれらの構成要素を全て必要とするわけではない。給紙ローラ２１は、Ｄ形の断面形状をしており、紙挿入口に挿入された紙を、円周部分を用いてプリンタ内に給紙し、搬送ローラ２３まで搬送するためのローラである。搬送モータ２２は、紙を搬送方向に搬送するためのモータであり、ＤＣモータにより構成される。搬送ローラ２３は、給紙ローラ２１によって給紙された用紙Ｓを印刷可能な領域まで搬送するローラであり、搬送モータ２２によって駆動される。プラテン２４は、印刷中の用紙Ｓを支持する。排紙ローラ２５は、印刷が終了した用紙Ｓをプリンタの外部に排出するローラである。この排紙ローラ２５は、搬送ローラ２３と同期して回転する。
【００２７】
キャリッジユニット３０は、ヘッドを所定の方向（以下、移動方向という）に移動させるためのものである。キャリッジユニット３０は、キャリッジ３１と、キャリッジモータ３２（ＣＲモータともいう）とを有する。キャリッジ３１は、移動方向に往復移動可能である。（これにより、ヘッドが移動方向に沿って移動する。）また、キャリッジ３１は、インクを収容するインクカートリッジ７１，７２が装着されるカートリッジ装着部３１１（図６Ｂ）を備え、カートリッジ装着部３１１にてインクカートリッジ７１，７２を着脱可能に保持している。キャリッジモータ３２は、キャリッジ３１を移動方向に移動させるためのモータであり、ＤＣモータにより構成される。
【００２８】
ヘッドユニット４０は、紙にインクを吐出するためのものである。ヘッドユニット４０は、ヘッド４１を有する。ヘッド４１は、インク吐出部であるノズルを複数有し、各ノズルから断続的にインクを吐出する。このヘッド４１は、キャリッジ３１に設けられている。そのため、キャリッジ３１が移動方向に移動すると、ヘッド４１も移動方向に移動する。そして、ヘッド４１が移動方向に移動中にインクを断続的に吐出することによって、移動方向に沿ったドットライン（ラスタライン）が紙に形成される。
【００２９】
検出器群５０には、リニア式エンコーダ５１、ロータリー式エンコーダ５２、紙検出センサ５３、および光学センサ５４等が含まれる。リニア式エンコーダ５１は、キャリッジ３１の移動方向の位置を検出するためのものである。ロータリー式エンコーダ５２は、搬送ローラ２３の回転量を検出するためのものである。紙検出センサ５３は、印刷される紙の先端の位置を検出するためのものである。この紙検出センサ５３は、給紙ローラ２１が搬送ローラ２３に向かって紙を給紙する途中で、紙の先端の位置を検出できる位置に設けられている。なお、紙検出センサ５３は、機械的な機構によって紙の先端を検出するメカニカルセンサである。光学センサ５４は、キャリッジ３１に取り付けられている。光学センサ５４は、発光部から紙に照射された光の反射光を受光部が検出することにより、紙の有無を検出する。そして、光学センサ５４は、キャリッジ３１によって移動しながら紙の端部の位置を検出する。光学センサ５４は、光学的に紙の端部を検出するため、機械的な紙検出センサ５３よりも、検出精度が高い。
【００３０】
コントローラ６０は、プリンタの制御を行うための制御ユニットである。コントローラ６０は、インターフェース部６１と、ＣＰＵ６２と、本体メモリ６３と、ユニット制御回路６４とを有する。インターフェース部６１は、外部装置であるコンピュータ１１０とプリンタ１との間でデータの送受信を行うためのものである。ＣＰＵ６２は、プリンタ全体の制御を行うための演算処理装置である。本体メモリ６３は、ＣＰＵ６２のプログラムを格納する領域や作業領域等を確保するためのものであり、ＲＡＭ、ＥＥＰＲＯＭ等を有する。ＣＰＵ６２は、本体メモリ６３に格納されているプログラムに従って、ユニット制御回路６４を介して各ユニットを制御する。このため、コントローラ６０は、キャリッジユニット３０、ヘッドユニット４０と通信するためにキャリッジ３１とフレキシブルケーブル３３を介して電気的に接続されている。
【００３１】
＜＜＜印刷動作について＞＞＞
図５は、印刷時の処理のフロー図である。以下に説明される各処理は、コントローラ６０が、本体メモリ６３内に格納されたプログラムに従って、各ユニットを制御することにより実行される。このプログラムは、各処理を実行するためのコードを有する。
【００３２】
印刷命令受信（Ｓ００１）：まず、コントローラ６０は、コンピュータ１１０からインターフェース部６１を介して、印刷命令を受信する。この印刷命令は、コンピュータ１１０から送信される印刷データのヘッダに含まれている。そして、コントローラ６０は、受信した印刷データに含まれる各種コマンドの内容を解析し、各ユニットを用いて、以下の給紙処理・搬送処理・インク吐出処理等を行う。
【００３３】
給紙処理（Ｓ００２）：給紙処理とは、印刷すべき紙をプリンタ内に供給し、印刷開始位置（頭出し位置とも言う）に紙を位置決めする処理である。コントローラ６０は、給紙ローラ２１を回転させ、印刷すべき紙を搬送ローラ２３まで送る。コントローラ６０は、搬送ローラ２３を回転させ、給紙ローラ２１から送られてきた紙を印刷開始位置に位置決めする。紙が印刷開始位置に位置決めされたとき、ヘッド４１の少なくとも一部のノズルは、紙と対向している。
【００３４】
ドット形成処理（Ｓ００３）：ドット形成処理とは、移動方向に沿って移動するヘッドからインクを断続的に吐出させ、紙上にドットを形成する処理である。コントローラ６０は、キャリッジモータ３２を駆動し、キャリッジ３１を移動方向に移動させる。そして、コントローラ６０は、キャリッジ３１が移動している間に、印刷データに基づいてヘッドからインクを吐出させる。ヘッドから吐出されたインク滴が紙上に着弾すれば、紙上にドットが形成される。移動するヘッドからインクが断続的に吐出されるので、紙上には移動方向に沿った複数のドットからなるドット列が形成される。
【００３５】
搬送処理（Ｓ００４）：搬送処理とは、紙をヘッドに対して搬送方向に沿って相対的に移動させる処理である。コントローラ６０は、搬送モータを駆動し、搬送ローラを回転させて紙を搬送方向に搬送する。この搬送処理により、ヘッド４１は、先ほどのドット形成処理によって形成されたドットの位置とは異なる位置に、ドットを形成することが可能になる。
【００３６】
排紙判断（Ｓ００５）：コントローラ６０は、印刷中の紙に対し排紙の判断を行う。印刷中の紙に印刷すべきデータが残っていれば、排紙は行われない。そして、コントローラ６０は、印刷すべきデータがなくなるまで、ドット形成処理と搬送処理とを交互に繰り返し、ドットから構成される画像を徐々に紙に印刷する。
【００３７】
排紙処理（Ｓ００６）：印刷中の紙に印刷すべきデータがなくなれば、コントローラ６０は、排紙ローラを回転させることにより、その紙を排紙する。なお、排紙を行うか否かの判断は、印刷データに含まれる排紙コマンドに基づいても良い。
【００３８】
印刷終了判断（Ｓ００７）：次に、コントローラ６０は、印刷を続行するか否かの判断を行う。次の紙に印刷を行うのであれば、印刷を続行し、次の紙の給紙処理を開始する。次の紙に印刷を行わないのであれば、印刷動作を終了する。
【００３９】
＜＜＜インクカートリッジ、及び、カートリッジ装着部の構成について＞＞＞
インクカートリッジ７１，７２、及びカートリッジ装着部３１１の構成について説明する。ここで、図６Ａは、ブラックインクが収容されたインクカートリッジを説明するための説明図である。図６Ｂは、このインクカートリッジが装着されるカートリッジ装着部３１１を説明する図であり、カートリッジ装着部３１１を用紙搬送方向の下流側斜め上方から見た図である。図７は、インクカートリッジ７１がカートリッジ装着部３１１に装着された状態を説明するための説明図である。図８は、プリント配線板７２２を説明するための説明図である。なお、図８の下図は、図８の上図において破線の円で囲まれた部分を拡大した図である。
【００４０】
なお、ブラックインクが収容されたインクカートリッジ７１と、カラーインクが収容されたインクカートリッジ７２とは、基本的な構造は共通している。これに伴い、カートリッジ装着部３１１の基本的な構造も、装着されるインクカートリッジ７１，７２に関わらず共通している。このため、以下の説明は、ブラックインクが収容されたインクカートリッジ７１について行い、カラーインクが収容されたインクカートリッジ７２については省略する。尚、カラーインクは２種類以上装着される場合がある。
【００４１】
インクカートリッジ７１は、インクを収容するためのものであり、インク収容部７１１を内部に備えた合成樹脂製のカートリッジ本体７１２と、このカートリッジ本体７１２に取り付けられたメモリユニット７１８とを有している。カートリッジ本体７１２の外観はほぼ直方体状である。そして、カートリッジ本体７１２の底面には、カートリッジ装着部３１１に装着された状態にて、針３１６が挿入されるインク供給部７１４が設けられている。このインク供給部７１４には、針３１６が貫通されるシール部材７１４ａが取り付けられており、インクの漏れを防止している。
【００４２】
また、カートリッジ本体７１２における用紙搬送方向の上流側の面（以下、カートリッジ前面７１ａという）には、凹部７１２ａが形成され、この凹部７１２ａにメモリユニット７１８が設けられている。このメモリユニット７１８は、カートリッジメモリ７２０と、プリント配線板７２２とを有している。
【００４３】
カートリッジメモリ７２０は、図７に示すように、前記凹部７１２ａの深さ方向底側に位置しており、カートリッジメモリ７２０には、インクの使用量を示す情報、インクの色を示す情報、製造年月日を示す情報等が記憶される。そして、これらの情報は、コントローラ６０の制御によってカートリッジメモリ７２０に書き込まれ、またカートリッジメモリ７２０から読み出される。
【００４４】
プリント配線板７２２は、図７に示すように、前記凹部７１２ａの深さ方向開口側に位置しており、インクカートリッジ７１がカートリッジ装着部３１１に装着された際に、カートリッジメモリ７２０をプリンタ本体１０（のコントローラ６０）に電気的に接続させるためのものである。このプリント配線板７２２は、図８の上図に示すように、基板７２４と、当該基板７２４上に設けられ、銅箔からなる７本の配線７２６と、を備えており、７本の配線７２６の各々の一端部には、スルーホール７２８が、他端部には、カートリッジ側端子７３０が、それぞれ設けられている。
【００４５】
配線７２６は、スルーホール７２８を介して、スルーホール７２８の裏側に位置する前記カートリッジメモリ７２０に接続されている。さらに、カートリッジ側端子７３０は、インクカートリッジ７１がカートリッジ装着部３１１に装着された際に、カートリッジ装着部３１１に設けられた後述する本体側端子３１８ａと接触するようになっている。そのため、インクカートリッジ７１がカートリッジ装着部３１１に装着された際には、配線７２６が、カートリッジ側端子７３０及び本体側端子３１８ａを介して、プリンタ本体１０（のコントローラ６０）に電気的に接続されるようになっている。なお、７本の配線７２６は、電源ライン、データ信号ライン、クロック信号ライン、接地ライン等である。
【００４６】
また、図８の上図に示すように、７本の配線７２６のうちの５本の配線７２６においては、文字を表す部分（当該部分を、以下、文字部７２６ａと呼ぶ）が該配線７２６の一部となっている。ここで、「文字を表す部分」とは、その部分自体が文字を象ったものであることを意味する。また、「文字」とは、広義の文字であり、何らかの情報を伝達する機能を有するものならば、どのようなものでもよい。例えば、ローマ字、アラビア文字、仮名等の表音文字のみならず、絵文字（マークも含む）、象形文字、漢字等の表意文字や数字等も含む概念である。
【００４７】
本実施の形態に係るプリント配線板７２２においては、プリント配線板７２２の供給者（ここでは、当該供給者が、ＩＮＫＤＯ株式会社であることとする）をプリント配線板７２２上で表示する必要性等から、前記文字が当該供給者を示すようになっている。さらに、図６の下図に示すように、配線７２６の、前記文字部７２６ａ以外の部分であって該文字部７２６ａと隣接する部分（当該部分を、以下、隣接部７２６ｂと呼ぶ）、の線幅ｄ１は、文字部７２６ａの線幅ｄ２よりも狭くなっており、かつ、配線７２６の、前記文字部７２６ａ以外の部分であって該文字部７２６ａと隣接しない部分（当該部分を、以下、非隣接部７２６ｃと呼ぶ）、の線幅ｄ３よりも狭くなっている。
【００４８】
一方、このインクカートリッジ７１が装着されるカートリッジ装着部３１１は、底部３１２と、この底部３１２の用紙搬送方向における上流側の縁から上向きに設けられた前壁部３１３と、底部３１２の用紙搬送方向における下流側の縁から上向きに設けられた後壁部３１４とを有している。前壁部３１３は、前壁３１３ａと２つの側壁３１３ｂとで平面コ字状に形成されており、２つの側壁３１３ｂの内側角部には、インクカートリッジ７１の装着時に前面側の角部７１２ｂが沿わされる前ガイド部３１３ｃが、鉛直方向に沿って設けられている。また、後壁部３１４は、後壁３１４ａと２つの側壁３１４ｂとで平面コ字状に形成されており、２つの側壁３１４ｂの内側角部には、インクカートリッジ７１の装着時に後面側の角部７１２ｃが沿わされる後ガイド部３１４ｃが鉛直方向に沿って設けられている。
【００４９】
そして、これらの底部３１２、前壁部３１３、及び後壁部３１４によって、インクカートリッジ７１が装着される空間を区画している。また、底部３１２には、矩形状の開口部３１５を貫通させた状態で形成している。そして、この開口部３１５には針３１６が鉛直方向に向けて取り付けられている。この針３１６は中空状であり、先端部分には針３１６の外部と内部とを繋ぐ孔が形成されている。従って、インクカートリッジ７１が、前ガイド部３１３ｃ及び後ガイド部３１４ｃに沿わされて装着方向に移動されてカートリッジ装着部３１１に装着されると、この孔を通じて針３１６の内部にインクが流入される。すなわち、インクカートリッジ７１の装着方向は、下方に向かう方向であり、装着方向の上流側は上方側であり、装着方向の下流側は下方側である。
【００５０】
カートリッジ装着部３１１の前壁部３１３には、上下方向に長いスリット状の縦穴３１３ｄが７カ所横並びに設けられている。この縦穴３１３ｄからは、カートリッジ装着部３１１の外側から前壁部３１３に取り付けられた端子基板３１７が有する本体側端子３１８ａが設けられた板ばね３１８が、カートリッジ装着部３１１の内側に向けてそれぞれ突出されている。この板ばね３１８は、端子基板３１７の配線及びフレキシブルケーブル３３を介してコントローラ６０と接続されている。
【００５１】
７本の板ばね３１８は、長手方向が装着方向に沿わされて配置され、端子基板３１７に上端部が固定され、下端側がカートリッジ装着部３１１の内側に十分突出されている。本体側端子３１８ａは、板ばね３１８の下端側に設けられているため、インクカートリッジ７１が装着方向に移動されて装着される際には、カートリッジ本体７１２のカートリッジ前面７１ａにより前壁部３１３側に押圧されつつ、カートリッジ前面７１ａに摺接する。そして、インクカートリッジ７１が装着されると、本体側端子３１８ａは、インクカートリッジ７１のカートリッジ側端子７３０と接触する。このとき、本体側端子３１８ａは板ばね３１８の弾性力によりカートリッジ側端子７３０側に付勢されている。
【００５２】
＝＝＝本実施の形態に係るプリント配線板の有効性について＝＝＝
発明が解決しようとする課題の項で説明したとおり、プリント配線板の基板上に、プリント配線板の供給者等を示した文字が書かれる場合には、以下の問題が生じる。すなわち、文字を書くためのスペースを基板上に取る必要があるため、基板が大型化してしまう問題が発生する。また、基板を小型化しようとすると、文字を避けるように配線を迂回させなければならないため、効率的な配線が実現不可能となる。
【００５３】
これに対し、上記実施の形態に係るプリント配線板７２２は、基板７２４上に設けられた配線７２６であって、文字を表す部分（文字部７２６ａ）が該配線７２６の一部となっている配線７２６、を有するため、上記課題を解決するものとなっている。すなわち、上記実施の形態においては、文字部７２６ａを配線７２６の一部としているため、文字を避けるように配線７２６を迂回させる必要がなくなり、効率的な配線が実現可能となる。
【００５４】
＝＝＝その他の実施の形態＝＝＝
以上、上記実施の形態に基づき本発明に係るプリント配線板７２２等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００５５】
また、上記においては、隣接部７２６ｂの線幅ｄ１は、文字部７２６ａの線幅ｄ２よりも狭いこととしたが、これに限定されるものではなく、例えば、隣接部７２６ｂの線幅ｄ１は、文字部７２６ａの線幅ｄ２よりも広いこととしてもよい。  
隣接部７２６ｂの線幅ｄ１が、文字部７２６ａの線幅ｄ２よりも狭い場合には、文字を見る人が文字を認識しやすくなる。したがって、かかる点で、上記実施の形態の方がより望ましい。  
また、上記においては、隣接部７２６ｂの線幅ｄ１は、非隣接部７２６ｃの線幅ｄ３よりも狭いこととしたが、これに限定されるものではなく、例えば、隣接部７２６ｂの線幅ｄ１は、非隣接部７２６ｃの線幅ｄ３よりも広いこととしてもよい。  
かかる場合にも、文字を見る人が文字を認識しやすくなる。したがって、かかる点で、上記実施の形態の方がより望ましい。
【００５６】
また、上記においては、プリント配線板７２２が、装置本体に対し着脱可能なユニットに備えられていることとしたが、これに限定されるものではなく、装置本体に対し着脱可能なユニット以外の機器に備えられていることとしてもよい。
【００５７】
また、上記においては、装置本体は、印刷装置本体であり、ユニットは、インクを収容するためのインクカートリッジ７１，７２であることとしたが、これに限定されるものではない。すなわち、上記においては、装置本体に対し着脱可能なユニットとして、印刷装置（インクジェットプリンタ）に対し着脱可能なインクカートリッジ７１，７２を例に挙げて説明したが、これに限定されるものではなく、装置本体に対し着脱可能なユニットであればどのようなものでも構わない。例えば、レーザプリンタ、コピー機等に対し着脱可能な、トナーを収容するためのトナーカートリッジであってもよい。
【００５８】
また、上記においては、文字がプリント配線板７２２の供給者を示していることとしたが、これに限定されるものではなく、ユニット（例えば、インクカートリッジ７１，７２）の供給者や、プリンタ１の供給者を示していることとしてもよい。また、文字が供給者を示していることに限定されるものではなく、例えば、文字が、配線の名称を示していることとしてもよい（配線が接地ラインである場合に、文字が「ＧＮＤ」となっている場合等）。
【００５９】
また、上記においては、７本の配線７２６のうちの一部（５本）の配線７２６において、文字部７２６ａが該配線７２６の一部となっていることとしたが、これに限定されるものではなく、例えば、総ての配線において、文字部７２６ａが該配線７２６の一部となっていることとしてもよい。
【００６０】
また、上記実施の形態に係るプリント配線板７２２においては、複数（５つ）の表音文字で、一つの意味（供給者）を表す文字（ＩＮＫＤＯ）が形成されていたが、表音文字を表す部分の各々は、互いに異なる配線の一部となっていた。しかし、これに限定されるものでなく、例えば、図９に示すように、表音文字を表す部分の各々が、総て、ある一つの配線の一部となっていることとしてもよい。
【図面の簡単な説明】
【００６１】
【図１】印刷システムの外観構成を示した説明図である。
【図２】本実施形態のプリンタの全体構成のブロック図である。
【図３】本実施形態のプリンタの全体構成の概略図である。
【図４】本実施形態のプリンタの全体構成の縦断面図である。
【図５】印刷時の処理のフロー図である。
【図６】図６Ａは、ブラックインクが収容されたインクカートリッジを説明するための説明図である。図６Ｂは、このインクカートリッジが装着されるカートリッジ装着部を説明する図であり、カートリッジ装着部を用紙搬送方向の下流側斜め上方から見た図である。
【図７】インクカートリッジがカートリッジ装着部に装着された状態を説明するための説明図である。
【図８】プリント配線板７２２を説明するための説明図である。
【図９】プリント配線板７２２の他の例を説明するための説明図である。
【符号の説明】
【００６２】
１  プリンタ、１０  プリンタ本体、２０  搬送ユニット、２１  給紙ローラ、
２２  搬送モータ、２３  搬送ローラ、２４  プラテン、２５  排紙ローラ
３０  キャリッジユニット、３１  キャリッジ、３２  キャリッジモータ、
３３  フレキシブルケーブル、４０  ヘッドユニット、４１  ヘッド、
５０  検出器群、５１  リニア式エンコーダ、５２  ロータリー式エンコーダ、
５３  紙検出センサ、５４  光学センサ、６０  コントローラ、
６１  インターフェース部、６２  ＣＰＵ、６３  本体メモリ、
６４  ユニット制御回路、７１  インクカートリッジ、７１ａ  カートリッジ前面、
７２  インクカートリッジ、１００  印刷システム、１１０  コンピュータ、
１２０  表示装置、１３０  入力装置、１３０Ａ  キーボード、１３０Ｂ  マウス、
１４０  記録再生装置、１４０Ａ  フレキシブルディスクドライブ装置、
１４０Ｂ  ＣＤ−ＲＯＭドライブ装置、３１１  カートリッジ装着部、
３１２  底部、３１３  前壁部、３１３ａ  前壁、３１３ｂ  側壁、
３１３ｃ  前ガイド部、３１３ｄ  縦穴、３１４  後壁部、
３１４ａ  後壁、３１４ｂ  側壁、３１４ｃ  後ガイド部、
３１５  開口部、３１６  針、３１７  端子基板、
３１８  板ばね、３１８ａ  本体側端子
７１１  インク収容部、７１２  カートリッジ本体、７１２ａ  凹部、
７１２ｂ  インクカートリッジの前面側の角部、
７１２ｃ  インクカートリッジの後面側の角部、
７１４  インク供給部、７１４ａ  シール部材、７１８  メモリユニット、
７２０  カートリッジメモリ、７２２  プリント配線板、７２４  基板、
７２６  配線、７２８  スルーホール、７３０  カートリッジ側端子、
７２６ａ  文字部、７２６ｂ  隣接部、７２６ｃ  非隣接部、Ｓ  用紙
【図１】
2007266215.tif 000003
【図２】
2007266215.tif 000004
【図３】
2007266215.tif 000005
【図４】
2007266215.tif 000006
【図５】
2007266215.tif 000007
【図６】
2007266215.tif 000008
【図７】
2007266215.tif 000009
【図８】
2007266215.tif 000010
【図９】
2007266215.tif 000011